(57)【要約】【課題】浴槽下方の密閉空間内でぬめりやカビが発生することを防止する浴室ユニットを提供する。【解決手段】浴槽１と浴槽が載置される浴槽支持床パン２とを少なくとも備えた浴室ユニットであって、浴槽１と浴槽支持床パン２との間に形成された空間Ｓ内の空気を外部に排気するための換気装置４を備えている。【選択図】図１
2005334126.tif 000002
【特許請求の範囲】
【請求項１】
浴槽と、浴槽が載置される浴槽支持床パンとを少なくとも備えた浴室ユニットにおいて、
上記浴槽と上記浴槽支持床パンとの間に形成された空間内の空気を外部に排気するための換気装置を備えていることを特徴とする浴室ユニット。
【請求項２】
請求項１において、
上記浴槽下方空間に対して、屋外または他の部屋から空気を引き込むための吸気設備を、さらに備えている浴室ユニット。
【請求項３】
請求項１または２において、
上記換気装置の換気口に連接された排気ダクトを、さらに備えている浴室ユニット。
【請求項４】
請求項１〜３のいずれかにおいて、
浴槽の排水を検知する排水検知手段と、排水検知手段が排水を検知しているときに上記換気装置を駆動する制御手段とを、さらに備えている浴室ユニット。
【請求項５】
請求項１〜３のいずれかにおいて、
上記換気装置は電動式であり、浴槽排水時の水流を電力に変換して上記換気装置を駆動する換気扇駆動手段を、さらに備えている浴室ユニット。
【請求項６】
請求項１〜３のいずれかにおいて、
上記換気装置は機械式であり、浴槽排水時の水流の動力で上記換気装置を駆動する換気扇駆動手段を、さらに備えている浴室ユニット。
【請求項７】
浴槽と浴槽支持床パンとの間の空間を換気する換気口と、吸気口とを備えた浴室ユニットにおいて、
上記吸気口には、吸気ダクトを通じて、他室に設置した換気装置が接続されていることを特徴とする浴室ユニット。
【発明の詳細な説明】
【技術分野】
【０００１】
本発明は、浴室ユニットの浴槽と浴槽支持床パンとの間に形成された空間内の空気を外部に排気する技術に関するものである。
【背景技術】
【０００２】
浴室ユニットは、浴槽と、浴槽を載置する浴槽支持床パンとを少なくとも備えている。この浴室ユニットを浴室に施工した後は、浴槽や浴槽支持床パン、エプロン、壁などで囲まれた空間が浴槽の下方に形成される。
この浴槽の下方の空間に、エプロンと床パンとの間に形成される隙間から湿気が侵入すると、その湿気を取り除くのが困難であり、床パンや浴槽にかびが発生するという問題があった。
【０００３】
従来は、この問題を解決するために換気口が設けられていたが、十分には湿気を取り除くことができなかった。図７には浴槽下方空間に換気口を設けていない浴室ユニット、図８には壁側に換気口を設けた浴室ユニットの簡略設置図を示している。また、特許文献１には、浴槽下方空間の壁側に吸気口を設けた換気システムが記載されている。
【特許文献１】特開２００２−３４９０８２号公報
【発明の開示】
【発明が解決しようとする課題】
【０００４】
本発明は、このような事情を考慮して提案されたもので、浴槽下方の密閉空間内で、ぬめりやカビが発生することを防止する浴室ユニットを提供することを目的とするものである。
また、施工コスト、運転コストを抑えて、浴槽下方の密閉空間内を効率よく換気する浴室ユニットを提供することを第２の目的とする。
【課題を解決するための手段】
【０００５】
本発明者らは、上記第１の目的を達成するために請求項１〜７に記載の発明を提案している。また請求項５〜８により第２の目的を達成しようとしている。
【０００６】
請求項１に記載の浴室ユニットは、浴槽と浴槽が載置される浴槽支持床パンとを少なくとも備えた浴室ユニットであって、浴槽と浴槽支持床パンとの間に形成された空間内の空気を外部に排気するための換気装置を備えていることを特徴としている。
【０００７】
請求項２では、請求項１において、浴槽下方空間に対して、屋外または他の部屋から空気を引き込むための吸気設備をさらに備えている。
請求項３では、請求項１または２において、換気装置の換気口に連接された排気ダクトをさらに備えている。
請求項４では、請求項１〜３のいずれかにおいて、浴槽の排水を検知する排水検知手段と、排水検知手段が排水を検知しているときに換気扇を駆動する制御手段とを、さらに備えている。
【０００８】
請求項５では、請求項１〜３のいずれかにおいて、換気装置は電動式であり、浴槽排水時の水流を電力に変換して換気扇を駆動する換気扇駆動手段を、さらに備えている。
請求項６では、請求項１〜３のいずれかにおいて、換気装置は機械式であり、浴槽排水時の水流を動力源とすて換気扇を駆動する換気扇駆動手段を、さらに備えている。
【０００９】
請求項７に記載の浴室ユニットは、浴槽と浴槽支持床パンとの間の空間を換気する換気口と、吸気口とを備えた浴室ユニットであって、吸気口には、吸気ダクトを通じて、他室に設置した換気装置が接続されている。
【発明の効果】
【００１０】
請求項１〜６に記載の浴室ユニットによれば、浴槽下方の空間を換気すべく換気装置を取り付けているので、湿気を含んだ空気を取り除くことができ、その結果、ぬめりやカビの発生を抑えることができる。
【００１１】
特に請求項２では、浴槽下方の空間には吸気設備をさらに設けているため、換気装置を動作させたときには、屋外や他室の空気が効率よく送り込まれ、浴槽下方の空間に滞留している湿気を含んだ空気が換気装置を通じて排出される。そのため、短時間で効率のよい換気を行うことができる。
【００１２】
また請求項３では、換気口に排気ダクトを接続しているため、浴室の場所によらず所望の箇所に排気することができる。
請求項４では、浴槽の排水を検知する排水検知手段の排水検知によって、自動で換気装置が稼動されるので、利用者は浴槽下方空間の換気を全く意識することなく、空間を清潔な状態を保つことができる。
【００１３】
請求項５、６では、水流により換気装置に動力を供給しているので、制御部や操作スイッチを設ける必要がなく、そのため、ユニット全体コストを低廉にすることができ、また水流で自動駆動するため運転コストもかからない。
【００１４】
請求項７では、浴槽下方の空間に換気装置を取り付けず、吸気口に、吸気ダクトを通じて他の居室空間用に設けた換気装置を接続しているので、他の居室の換気扇を作動させると、その部屋から排出された空気を浴槽下方空間に取り込むことができる。
また、この構成によれば、他室の汚れた空気が浴槽下方空間の換気に再利用され、浴室下方空間用に換気扇を取り付ける必要もないので、施工コスト、運転コスト低く抑えることができる。
【発明を実施するための最良の形態】
【００１５】
以下に、本発明の実施の形態について図面とともに説明する。
【００１６】
図１は、本発明の浴室ユニット（第１例）の概略説明図である。
浴室ユニットは、浴槽１と浴槽支持床パン２とを少なくとも備えている。浴槽支持床パン２は、浴槽１の下方に延設されて浴槽１を支持し、洗い場が連接されている。なお、１ａは洗い場側に面して設けられた浴槽エプロン、１ｂは排水口であり、この排水口１ｂから排水される水は排水トラップＴを介して排出される。
図１に示すように、浴槽下方には、浴槽１やエプロン１ａ、浴槽支持床パン２、浴室壁Ｗ１により囲まれた空間Ｓが形成されている。その空間Ｓの浴室壁側には、浴室壁Ｗ１と外壁Ｗ２とを連通する換気口３を設け、その換気口３に、操作スイッチ１２（図２参照）等で駆動されるようにした換気装置４（換気扇）を取り付けている。
【００１７】
この構成によれば、換気扇４を取り付けているため、密閉された浴槽下方空間内Ｓの湿気を含んだ空気は換気扇４を通じて外部に排気され、ぬめりやカビの発生を防止することができる。
また、浴室壁Ｗ１と外壁Ｗ２とが離れている場合や、他の任意の場所に排気したい場合は、換気口３に排気ダクト（不図示）を接続すればよい。排気ダクトを設ければ、浴室の場所によらず所望の箇所に排気することができる。
【００１８】
この例では換気扇４を浴室壁側の床パン２に連接させているが、これには限定されず、例えばエプロン１ａに換気口３を設け、その換気口３に換気扇４を取り付け、換気口３に接続された排気ダクトを介して外部に排気できるようにしてもよい。
【００１９】
図２は、この換気扇４の駆動を説明するための内部ブロック図である。
制御手段１０は、操作スイッチ１２が操作されると換気扇４を駆動／停止するように制御する。また、浴槽１の排水口１ｂに取り付けた水流センサなどの排水検知手段１１が排水を検知している間、換気扇４を駆動する自動換気機能も有している。なお、排水検知手段１１は水圧センサで構成されたものでもよい。
【００２０】
このような自動換気機能を有すれば、浴槽水を排水するたびに自動的に換気扇４が稼動するので、利用者は浴槽下方空間Ｓの換気を全く意識することなく空気入れ替えができ、清潔な状態を保つことができる。
【００２１】
図３は、浴室ユニット（第２例）の概略説明図である。（ｂ）図は（ａ）図のＹの方向から見たユニット概略図である。なお、図中の第１例と同一符号が付されたものについては、その説明を割愛する。
第２例で示す浴室ユニットでは、浴槽１の側面（エプロンまたは浴室壁）の一方に吸気口（吸気ガラリ５）を設けている。この吸気ガラリ５は屋外や他の部屋と連通し、屋外や他室からの空気を取り込めるようになっている。
【００２２】
このように吸気設備を設けているため、換気扇４を動作させたときには、吸気ガラリ５から屋外や他室の空気が送り込まれ、浴槽下方空間Ｓに滞留している湿気を含んだ空気が換気扇４を通じて排出される。そのため、短時間で効率のよい換気が行われる。
【００２３】
また図４には、第２例で示した吸気ガラリ５に吸気ダクト６が連接されたものを示している。
【００２４】
次に、換気装置への動力供給について説明する。図５は動力供給の方式例を説明するための図である。
図５（ａ）、（ｂ）に示したブロック図は、それぞれ電動式、機械式の駆動ブロックを示している。これらは、浴槽から排水される水の水流を駆動源とし、電動式（ａ）の駆動部は、水流を電力に変換して換気扇４Ａに供給する電力供給型換気扇駆動手段２０Ａで構成され、機械式（ｂ）の駆動部は、水流で換気扇４Ｂの羽根を回転させる機械型換気扇駆動手段２０Ｂで構成されている。
【００２５】
このような動力供給方式を、上記第１例、第２例に適用すれば、制御部や操作スイッチを設ける必要はないためコストを低く抑えることができ、また水流で自動駆動するため運転コストもかからない。
【００２６】
ついで図６は、浴室ユニット（第３例）の概略説明図である。（ｂ）図は（ａ）図のＹの方向から見たユニット概略図である。なお、図中の第１例と同一符号が付されたものについては、その説明を割愛する。
第３例で示す浴室ユニットでは、浴槽下方の空間には換気装置を取り付けず、浴槽の側面（エプロンまたは浴室壁）の一方に吸気口５を設け、この吸気口５に、吸気ダクト６を通じて他の居室空間に設けた換気扇７と接続する。
つまり、他の居室の換気扇７を作動させると、その他室から排出された空気が吸気ダクト６を通じて浴槽下方空間Ｓに取り込めるようになっている。ぬめりやカビの発生を防止すべく湿気を除去することが目的であるため、他室で換気された空気を再利用しても湿気除去の目的を果たすことができる。
【００２７】
この構成によれば、他室の汚れた空気が浴槽下方空間の換気に再利用されるため、また、浴室下方空間の換気のために換気扇を取り付ける必要がないので、施工コスト、運転コストを低く抑えることができる。
【００２８】
なお、浴槽下方の空間をより迅速に換気するために、換気口３に換気扇を取り付けてもよい。その場合、浴槽下方空間の自動換気を実現するため、他室の換気扇７と連動させるようにしてもよい。
【図面の簡単な説明】
【００２９】
【図１】本発明の第１例の概略説明図である。
【図２】本発明の浴室ユニットの内部ブロック図である。
【図３】本発明の第２例の概略説明図である。
【図４】本発明の第２例の他の概略説明図である。
【図５】（ａ）は電動式、（ｂ）は機械式の駆動ブロック図を示している。
【図６】本発明の第３例の概略説明図である。
【図７】従来の浴室ユニットの概略図である。
【図８】従来の浴室ユニットの概略図である。
【符号の説明】
【００３０】
１      浴槽
１ａ      エプロン
１ｂ      排水口
２      浴槽支持床パン
３      換気口
４      換気装置（換気扇）
Ｓ      浴槽下方空間
Ｗ１      浴室壁
Ｗ２      外壁
Ｔ      排水トラップ
５      吸気設備（吸気口、吸気ガラリ）
６      吸気設備（吸気ダクト）
７      排気ダクト
１０      制御手段
１１      排水検知手段
１２      操作スイッチ
【図１】
2005334126.tif 000003
【図２】
2005334126.tif 000004
【図３】
2005334126.tif 000005
【図４】
2005334126.tif 000006
【図５】
2005334126.tif 000007
【図６】
2005334126.tif 000008
【図７】
2005334126.tif 000009
【図８】
2005334126.tif 000010